(57)【特許請求の範囲】
【請求項１】
住宅開口部の内周面に上部サッシレールと下部サッシレールと右戸当てと左戸当てを枠組みして成るサッシ枠を取り付け、該サッシ枠にサッシを建て込んだ住宅開口部における下記のＡ乃至Ｉの構成を有する防犯機構。
Ａ．上記サッシ枠の室内側周囲側面に沿う木枠を設ける、
Ｂ．上記木枠は上部サッシレールの室内側側面に添設せる上部枠木と、上記下部サッシレールの室内側側面に添設せる下部枠木と、上記右戸当ての室内側側面に添設せる右枠木と、上記左戸当ての室内側側面に添設せる左枠木とを枠組みして成る、
Ｃ．上記木枠の室内側周囲内側面にシャッター枠を取り付ける、
Ｄ．上記シャッター枠は下面に上部ガイド溝を有するロ字形チャンネルにて形成した上部シャッターレールと、上面に下部ガイド溝を有する略Ｕ字形のチャンネルにて形成した下部シャッターレールと、角筒体から成る右支柱と左支柱とを枠組みして成る、
Ｅ．上記上部シャッターレールの室外側側板の上端から第１取付板を一体成形にて立ち上げ、該第１取付板を上記上部枠木の室内側側面に充てがい螺子にて一体に取り付ける、
Ｆ．上記下部シャッターレールの室外側の側板の上端から室外側へ向け取付板を一体成形にて張り出し、該取付板を上記下部枠木の内側面に重ね螺子にて一体に組み付ける、
Ｇ．上記右支柱と左支柱の各室外側側板を上記右枠木と左枠木の室内側側面に夫々重ね、更に右支柱と左支柱の各室外側側板の内端から平板から成る取付板を室外側へ向け一体成形にて張り出し、該各取付板を上記右枠木と左枠木の内側面に夫々重ね螺子にて一体に組み付ける、
Ｈ．上記上部シャッターレールと下部シャッターレール間に横引きシャッターを開閉可に建て込み、上記上部シャッターレールの上部ガイド溝を画成する上部ガイド板の上面に該横引きシャッターの縦回転コロを荷受けし吊装すると共に、上記下部シャッターレールの室外側側板と室内側側板間に上記横引きシャッターの横回転コロを介在し回転を案内する構成とする、
Ｉ．上記上部シャッターレールの室内側側板の上端から逆Ｌ字形の第２取付板を室内側へ向け一体成形にて張り出し、他方基板の下面に一個又は複数のカーテン吊りガイドを一体に成形したカーテンレールを形成し、該カーテンレールの基板の室外側端部に平板から成る取付板を一体成形にて立ち上げ、該取付板を上記逆Ｌ字形第２取付板の立ち下げ板の室内側側面に重ね、螺子にて一体に組み付ける。
【請求項２】
住宅開口部の内周面に上部サッシレールと下部サッシレールと右戸当てと左戸当てを枠組みして成るサッシ枠を取り付け、該サッシ枠にサッシを建て込んだ住宅開口部における下記のＡ乃至Ｉの構成を有する防犯機構。
Ａ．上記サッシ枠の室内側周囲側面に沿う木枠を設ける、
Ｂ．上記木枠は上部サッシレールの室内側側面に添設せる上部枠木と、上記下部サッシレールの室内側側面に添設せる下部枠木と、上記右戸当ての室内側側面に添設せる右枠木と、上記左戸当ての室内側側面に添設せる左枠木とを枠組みして成る、
Ｃ．上記木枠の室内側周囲内側面にシャッター枠を取り付ける、
Ｄ．上記シャッター枠は下面に上部ガイド溝を有するロ字形チャンネルにて形成した上部シャッターレールと、上面に下部ガイド溝を有する略Ｕ字形のチャンネルにて形成した下部シャッターレールと、角筒体から成る右支柱と左支柱とを枠組みして成る、
Ｅ．上記上部シャッターレールの室外側側板の上端から第１取付板を一体成形にて立ち上げ、該第１取付板を上部枠木の室内側側面に充てがい螺子にて一体に取り付ける、
Ｆ．上記下部シャッターレールの室外側の側板の上端から室外側へ向け取付板を一体成形にて張り出し、該取付板を上記下部枠木の内側面に重ね螺子にて一体に組み付ける、
Ｇ．上記右支柱と左支柱の各室外側側板を上記右枠木と左枠木の室内側側面に夫々重ね、更に右支柱と左支柱の各室外側側板の内端から平板から成る取付板を室外側へ向け一体成形にて張り出し、該各取付板を上記右枠木と左枠木の内側面に夫々重ね螺子にて一体に組み付ける、
Ｈ．上記上部シャッターレールと下部シャッターレール間に横引きシャッターを開閉可に建て込み、上記上部シャッターレールの上部ガイド溝を画成する上部ガイド板の上面に該横引きシャッターの縦回転コロを荷受けし吊装すると共に、上記下部シャッターレールの室外側側板と室内側側板間に上記横引きシャッターの横回転コロを介在し回転を案内する構成とする、
Ｉ．上記上部シャッターレールの室内側側板の上端から平板から成る第２取付板を室内側へ向け一体成形にて張り出し、他方該カーテンレールの基板の室外側端部から平板から成る取付板を室外側へ向け一体成形にて張り出し、該取付板を上記第２取付板の上面又は下面に重ね螺子にて一体に組み付ける。
【発明の詳細な説明】
【０００１】
【発明の属する技術分野】
本発明は鉄筋コンクリート住宅及び一般戸建住宅に代表される住宅開口部の防犯機構に関する。
【０００２】
【従来の技術】
住宅における出入口や採光のための開口部には、その内周面に沿いサッシ枠を取り付け、該サッシ枠にサッシを建て込んでいるが、従来はこの開口部の防犯対策として上記サッシ枠の室外側に雨戸やシャッターを取り付け、サッシ枠の室内側にカーテンレールを設けカーテンを吊装する建具仕様が主流となっており、雨戸やシャッターは外からの侵入者防止目的と共に、防雨や採光遮断の目的を有し、めくら建具を用いるのが通例となっている。
【０００３】
【発明が解決しようとする課題】
而して発明者は従来の上記外付けシャッター等が、主として夜間における侵入者の外からの侵入を防止することを目的としたもので、外付けであるために破壊工作に着手し易く、シャッターを破壊してしまえば室内への侵入が比較的容易である点、加えて在宅活動している昼間におけるシャッターの閉鎖使用は考慮されていない（閉鎖すると室内への採光や通風ができない）点に着目した。
【０００４】
又外付けシャッターでは建物の外観を損ない、雨水による劣化が著しく、シャッターの外付けに煩雑な作業を要する等の問題を有している。殊に外付けシャッターを住宅建築後に後付けする場合、既設のサッシ枠との取り合いが悪く、煩雑な作業を要する。
【０００５】
【課題を解決するための手段】
発明者は上記問題点を見出し、本発明を着想するに至ったものである。
【０００６】
本発明に係る住宅開口部の防犯機構は、住宅開口部内周面のサッシ枠にサッシを建て込みながら、該サッシ枠の側面に沿い設けられている木枠を利用し、該木枠を形成する上部枠木の室内側側面に上部シャッターレールを取り付けると共に、該木枠を形成する下部枠木の室内側側面に下部シャッターレールを取り付け、該上部シャッターレールと下部シャッターレール間に横引きシャッターを開閉可に建て込む内付け構造を採用する。
【０００７】
そして上記横引きシャッターとして採光と通風が可能な空格子形シャッターを用いる。この空格子形の横引きシャッターは片横引き形又は両横引き形である。
【０００８】
更に上記上部シャッターレールの室内側側面にこれと一体にカーテンレールを取り付け、該カーテンレールに吊装したカーテンにて上記空格子形シャッターを隠蔽する構造にする。
【０００９】
適例として上記空格子形の横引きシャッターは多数の縦格子骨間をリンク結合し、各縦格子骨間において開放構造にした既知の空格子形シャッターを採用する。
【００１０】
上記上部シャッターレールと下部シャッターレールの夫々は、金属にて一体成形構造とすると共に、上記カーテンレールを金属にて一体成形構造にする。そして該カーテンレールを上記上部シャッターレールの室内側内側面に螺子付けし一体組み付け構造にする。
【００１１】
上記住宅開口部の防犯機構は侵入者の外からのシャッターの破壊工作がし難く、侵入者の心理的効果も手伝って室内への侵入を困難にする防犯効果が期待できる。
【００１２】
加えて空格子形シャッターを内付けし、カーテンを内付けする構造の採用により室内への採光と通風（サッシを開けておけば通風も可能）を図りつつ、在宅活動している昼間にシャッターを閉鎖して防犯効果を得ることができる。
【００１３】
又空格子形シャッターは既設のサッシ枠の室内側に存する木枠を利用して同室内側から容易に取り付けることができ、後付けも容易である。この空格子形シャッターはカーテンによって隠蔽又は半隠蔽（レースカーテン使用の場合）し、室内側からの美観を保つことができる。
【００１４】
又建物の外側にシャッターが露見しないので、建物外観を損なうことがなく、雨水による劣化の懸念もない。
【００１５】
【発明の実施の形態】
図２乃至図４に示すように、コンクリート壁１′にて画成された住宅開口部１の内周面に沿い取り付けたサッシ枠２にサッシ３を建て込む。該サッシ３はガラス入り横引き戸であり、サッシ枠２は該ガラス入り横引き戸の上部サッシレール２ａと、同下部サッシレール２ｂと、右戸当て２ｃと、左戸当て２ｄとを枠組みして成る。
【００１６】
上記サッシ枠２の室内側周囲側面には、該サッシ枠２を散り決めしつつ当て付けする木枠４が設けられている。該木枠４は上部サッシレール２ａの室内側側面に添設せる上部枠木４ａと、下部サッシレール２ｂの室内側側面に添設せる下部枠木４ｂと、右戸当て２ｃの室内側側面に添設せる右枠木４ｃと、左戸当て２ｄの室内側側面に添設せる左枠木４ｄとを枠組みして成る。
【００１７】
上記木枠４を利用し該木枠４の室内側周囲内側面にシャッター枠５を取り付ける。該シャッター枠５は上部シャッターレール５ａと下部シャッターレール５ｂと右支柱５ｃと左支柱５ｄとを枠組みして成る。
【００１８】
再述すると上部シャッターレール５ａは木枠４を形成する上部枠木４ａの室内側側面に螺子９にて一体に組み付けると共に、下部シャッターレール５ｂは同木枠４を形成する下部枠木４ｂの室内側側面に螺子９にて一体に組み付け、更に木枠４を形成する右枠木４ｃの室内側側面にシャッター枠５を形成する右支柱５ｃを螺子９にて一体に組み付け、同様に木枠４を形成する左枠木４ｄの室内側側面にシャッター枠５を形成する左支柱５ｄを螺子９にて一体に組み付ける。
【００１９】
上記上部シャッターレール５ａと下部シャッターレール５ｂ間に横引きシャッター６を横引き開閉可に建て込む。
【００２０】
上記横引きシャッター６は左方向又は右方向へ畳み込むことができる片横引きシャッターか、中央部から左右へ畳み込むことができる両横引きシャッターであり、図面は片横引きシャッターを用いた例を示している。
【００２１】
上記横引きシャッター６として採光と通風が可能な空格子形シャッターを用いる。適例として図１に示すように、該空格子形の横引きシャッター６は多数の縦格子骨６ａ間をリンク結合６ｂし、各縦格子骨６ａ間において開放構造にした既知のシャッターを採用する。
【００２２】
そして図２、図３に示すように、上記上部シャッターレール５ａの室内側側面に同レール５ａに一体にカーテンレール７を螺子１０にて組み付け、該カーテンレール７に吊装したカーテン８にて上記空格子形横引きシャッター６を隠蔽又は半隠蔽する構造にする。
【００２３】
上記空格子形横引きシャッター６の上部、即ち複数の縦格子骨６ａの上端に縦回転コロ６ｃを夫々取り付け、該縦回転コロ６ｃを上記上部シャッターレール５ａに吊装支持すると共に、上記複数の縦格子骨６ａの下端に横回転コロ６ｄを取り付け、該横回転コロ６ｄを上記下部シャッターレール５ｂでガイドする。
【００２４】
上記シャッター枠５の右支柱５ｃ又は左支柱５ｄの一方に片横引きシャッター６の一端の縦格子骨６ａを一体に取り付け、他方を戸当てとし、よってシャッター枠５内、即ち上部シャッターレール５ａと下部シャッターレール５ｂ間に横引きシャッター６を開閉可に建て込む。
【００２５】
上記上部シャッターレール５ａと下部シャッターレール５ｂと右支柱５ｃと左支柱５ｄの個々は、アルミニューム等の金属にて一体成形構造とすると共に、上記カーテンレール７をアルミニューム等の金属にて一体成形構造にする。そして該カーテンレール７を上記上部シャッターレール５ａの室内側内側面に螺子１０にて一体組み付ける。
【００２６】
更に詳述すると上部シャッターレール５ａは下面に上部ガイド溝５ｅを有するロ字形チャンネルにて形成し、該上部ガイド溝５ｅを画成する上部ガイド板５ｆを有し、上記空格子形横引きシャッター６の縦回転コロ６ａを該上部ガイド板５ｆの上面に支持し荷受けする。即ち吊装する。
【００２７】
図２，図３に示すように、上記上部シャッターレール５ａの室外側側板の上端から第１取付板５ｇを一体に立ち上げ、該第１取付板５ｇを上部枠木４ａの室内側側面に充てがい螺子９にて一体に取り付ける。
【００２８】
又図２，図３に示すように、上記上部シャッターレール５ａの室内側側板の上端に第２取付板５ｈを一体に設け、該第２取付板５ｈに上記カーテンレール７を螺子１０にて組み付ける。
【００２９】
例えば図２に示すように、上部シャッターレール５ａの室内側側板の上端、即ち天板の室内側端部から逆Ｌ字形の第２取付板５ｈを室内側へ向け一体に張り出し、他方略水平な基板７ａの下面に一個又は複数のカーテン吊りガイド７ｂを一体に成形したカーテンレール７を形成し、該カーテンレール７の基板７ａの室外側端部に平板から成る取付板７ｃを略垂直に一体に立ち上げ、該取付板７ｃを上記逆Ｌ形第２取付板５ｈの略垂直な立ち下げ板５ｉの室内側側面に重ね、螺子１０にて一体に組み付ける。
【００３０】
又は図３に示すように、上部シャッターレール５ａの室内側側板の上端、即ち天板の室内側端部から平板から成る第２取付板５ｈを室内側へ向け略水平に一体に張り出し、他方該カーテンレール７の基板７ａの室外側端部から平板から成る取付板７ｃを室外側へ向け略水平に一体に張り出し、該取付板７ｃを上記第２取付板５ｈの上面又は下面に重ね螺子１０にて一体に組み付ける。
【００３１】
図２，図３の何れの例も工具を用いた螺子付け作業スペースが確保される。上記第１，第２取付板５ｇ，５ｈを備える上部シャッターレール５ａは全体をアルミニューム等の金属にて一体成形構造にする。
【００３２】
同様に上記取付板７ｃと基板７ａとカーテン吊りガイド７ｂから成るカーテンレール７はアルミニューム等の金属にて一体成形する。
【００３３】
更に上記下部シャッターレール５ｂは上面に下部ガイド溝５ｊを有する略Ｕ字形のチャンネルから成り、その室外側側板と室内側側板間に上記横引きシャッター６の横回転コロ６ｄを介在し、その回転を案内する。即ち左右側板は下部ガイド板５ｋを形成している。よって横引きシャッター６は上部ガイド板５ｆに吊装支持されつつ、同ガイド板５ｆと下部ガイド板５ｋの案内にて片引き（横引き）開閉可能である。
【００３４】
又上記下部シャッターレール５ｂの室外側の側板の上端から室外側へ向け略水平に取付板５ｌを一体に張り出し、該取付板５ｌを上記下部枠木４ｂのコーナー部上面に重ね螺子９にて一体に組み付ける。該取付板５ｌを備える下部シャッターレール５ｂは金属にて一体成形構造にする。
【００３５】
又図４に示すように、シャッター枠５を形成する左右支柱５ｄ，５ｃは夫々角筒体にて形成し、夫々の室外側側板を左右枠木４ｄ，４ｃの室内側側面に重ね、更に室外側側板の内端から、即ち内側板の室外側端部から平板から成る取付板５ｍを室外側へ向け略水平に一体に張り出し、該取付板５ｍを左右枠木４ｄ，４ｃの内側面に夫々重ね、螺子９にて一体に組み付ける。
【００３６】
上記取付板５ｍを備えた角筒体から成る左右支柱５ｄ，５ｃはアルミニューム等の金属にて一体成形構造にする。
【００３７】
他方上記横引きシャッター６を形成する一端の縦格子骨６ａを一方の支柱５ｄの内側板に螺子１１にて一体に組み付け、他方の支柱５ｃの内側面に横引きシャッター６を形成する他端の縦格子骨６ａを当接し、所謂戸当てし、該支柱５ｃと縦格子骨６ａ間に室内側から操作可能な施錠手段１２を設ける。
【００３８】
【発明の効果】
上記住宅開口部の防犯機構は侵入者の外からのシャッターの破壊工作がし難く、侵入者の心理的効果も手伝って室内への侵入を困難にする防犯効果が期待できる。
【００３９】
加えて空格子形シャッターを内付けし、カーテンを内付けする構造の採用により室内への採光と通風（サッシを開けておけば通風も可能）を図りつつ、在宅活動している昼間にシャッターを閉鎖して防犯効果を得ることができる。
【００４０】
又空格子形シャッターは既設のサッシ枠の室内側に存する木枠を利用して同室内側から容易に取り付けることができ、後付けも容易である。この空格子形シャッターはカーテンによって隠蔽又は半隠蔽（レースカーテン使用の場合）し、室内側からの美観を保つことができる。
【００４１】
又建物の外側にシャッターが露見しないので、建物外観を損なうことがなく、雨水による劣化を防止する。
【図面の簡単な説明】
【図１】住宅開口部の防犯機構を示す室内側正面図。
【図２】住宅開口部の防犯機構を示す縦断面図。
【図３】住宅開口部の防犯機構の他例を示す縦断面図。
【図４】住宅開口部の防犯機構を示す横断面図。
【符号の説明】
１…住宅開口部、１′…コンクリート壁、２…サッシ枠、２ａ…上部サッシレール、２ｂ…下部サッシレール、２ｃ…右戸当て、２ｄ…左戸当て、３…サッシ、４…木枠、４ａ…上部枠木、４ｂ…下部枠木、４ｃ…右枠木、４ｄ…左枠木、５…シャッター枠、５ａ…上部シャッターレール、５ｂ…下部シャッターレール、５ｃ…右支柱、５ｄ…左支柱、５ｅ…上部ガイド溝、５ｆ…上部ガイド板、５ｇ…第１取付板、５ｈ…第２取付板、５ｉ…立ち下げ板、５ｊ…下部ガイド溝、５ｋ…下部ガイド板、５ｌ…取付板、５ｍ…取付板、６…空格子形横引きシャッター、６ａ…縦格子骨、６ｂ…リンク結合、６ｃ…立て回転コロ、６ｄ…横回転コロ、７…カーテンレール、７ａ…基板、７ｂ…カーテン吊りガイド、７ｃ…取付板、８…カーテン、９…螺子、１０…螺子、１１…螺子、１２…施錠手段
【図１】
0003644937.tif 000002
【図２】
0003644937.tif 000003
【図３】
0003644937.tif 000004
【図４】
0003644937.tif 000005